(57)【特許請求の範囲】
【請求項１】
本体軸の前端部に、口先部を設け、この口先部の前端開口から、ペン先を突出させるようにした筆記具において、
本体軸の後部に開閉支点を設けたクリップの長さを、本体軸の後端部から、本体軸の前端部に至るほぼ全範囲に亘るものとし、かつノック栓の操作により、リフィールユニットのペン先を突出または格納可能に出没させるノック機構を内蔵した本体軸の後部に、クリップを、前端部が本体軸の表面に弾圧接されるように閉方向に付勢して回動自在に枢支し、かつ前記ノック機構に、ペン先の出没動作に一体的に連動して本体軸の軸方向に往復動する係止部を設け、この係止部を、本体軸の表面に開口した窓孔から外部に突出させるとともに、ペン先の突出状態において、クリップの裏面に突出した係止突起に係止させて使用状態を維持し、クリップの前記付勢力に抗する開方向の操作により、前記係止突起との係止状態を解除して、ペン先を格納位置に移行させて不使用状態とするようにしたことを特徴とする筆記具。
【請求項２】
本体軸の長さを、使用時に、本体軸の前端部側を人差し指と親指とで摘んだ際に、本体軸の後端部側が、人差し指と親指との間の付け根に届くのに必要な最短の長さとしたことを特徴とする請求項１記載の筆記具。
【発明の詳細な説明】
【技術分野】
【０００１】
本発明は、クリップを備えた筆記具に関する。
【背景技術】
【０００２】
例えば、筆記具としてのノック式ボールペンには、一般に、本体軸の後部にクリップが取り付けられ、服やワイシャツのポケット等に挾着して、携帯し易いようになっている。クリップは、その前端部を、本体軸の表面に向けて弾圧接するように付勢することにより、ポケット等の布地への噛込みを向上させている。
【０００３】
クリップに弾性付勢力を付与する手段としては、クリップを形成する合成樹脂の弾性変形を利用したものや、板ばねを利用したものがある(例えば、特許文献１，２参照)。
【０００４】
しかし、特許文献１，２におけるいずれのボールペンにおいても、クリップの長さが、本体軸の全長に対して、１／５程度と短いため、外れ易く、紛失し易いばかりでなく、ポケットの深さが浅い場合、クリップを効かせることができない場合もある。
また、ポケット等の布地へのボールペンの挾着状態において、クリップの前端部が開脚したり、横ずれしたりし易いため、クリップの開閉支点や枢支部に、大きな負荷が掛かり易く、それらの部位が破損する虞があるという問題がある。
【特許文献１】特開２００４−１２２７３３号公報
【特許文献１】特開２００４−１４６０９４号公報
【発明の開示】
【発明が解決しようとする課題】
【０００５】
本発明は、従来の技術が有する上記のような問題点に鑑み、筆記具を、クリップによりポケット等に挾着した場合に、クリップによるポケット等の布地への挾着範囲を大きくするとともに、外れ難くすることができるようにした筆記具を提供することを目的とする。
【課題を解決するための手段】
【０００６】
本発明によると、上記課題は、次のようにして解決される。
(１)  本体軸の前端部に、口先部を設け、この口先部の前端開口から、ペン先を突出させるようにした筆記具において、本体軸の後部に開閉支点を設けたクリップの長さを、本体軸の後端部から、本体軸の前端部に至るほぼ全範囲に亘るものとし、かつノック栓の操作により、リフィールユニットのペン先を突出または格納可能に出没させるノック機構を内蔵した本体軸の後部に、クリップを、前端部が本体軸の表面に弾圧接されるように閉方向に付勢して回動自在に枢支し、かつ前記ノック機構に、ペン先の出没動作に一体的に連動して本体軸の軸方向に往復動する係止部を設け、この係止部を、本体軸の表面に開口した窓孔から外部に突出させるとともに、ペン先の突出状態において、クリップの裏面に突出した係止突起に係止させて使用状態を維持し、クリップの前記付勢力に抗する開方向の操作により、前記係止突起との係止状態を解除して、ペン先を格納位置に移行させて不使用状態とするようにする。
【０００７】
(２)  上記(１)項において、本体軸の長さを、使用時に、本体軸の前端部側を人差し指と親指とで摘んだ際に、本体軸の後端部側が、人差し指と親指との間の付け根に届くのに必要な最短の長さとする。
【発明の効果】
【０００８】
本発明によると、次のような効果が奏せられる。
請求項１記載の発明によれば、本体軸の後部に開閉支点を設けたクリップの長さを、本体軸の後端部から、本体軸の前端部に至るほぼ全範囲に亘るものとしてあるので、筆記具をポケット等に挾着した場合に、クリップによるポケット等の布地への挾着範囲を可及的に大きくすることができ、本体軸のほぼ全長を挾着することができるとともに、筆記具がポケットから簡単には外れ難くなる。そのため、筆記具の紛失を可及的に防ぐことができる。
【０００９】
また、本発明の筆記具は、ネクタイピンとしても使用可能にしているので、別途に筆記具を持参していない場合に、本発明の筆記具をネクタイピンとして使用していたときに、そのまま筆記具として使用でき、汎用性を高めることができる。
【００１０】
さらに、ノック栓のノック操作と、クリップの開閉操作により、リフィールユニットのペン先を突出または格納可能に出没させるようにしてあるので、ペン先の使用状態または不使用状態の操作をワンタッチで行うことができる。
【００１１】
請求項２記載の発明によれば、本体軸の長さを、使用時に、前端部側を人差し指と親指とで摘んだ際に、その後端部側が、人差し指と親指との間の付け根に届くのに必要な最短の長さとしてあるので、軽量化を図ることができ、しかも、筆記具の重心が、従来の筆記具よりも指先側に位置するため、筆記感を高めることができる。
【発明を実施するための最良の形態】
【００１２】
以下、本発明の一実施形態を、図面に基づいて説明する。
図１は、本発明のボールペンのペン先突出状態を示す全体斜視図、図２は、同じく縦断側面図、図３は、クリップを開状態にしたときのペン先格納時の縦断側面図、図４は、同じく、クリップを開状態にしたときの本体軸表面の要部拡大斜視図、図５は、同じくクリップを開状態にしたときのクリップ裏面の要部拡大斜視図、図６は、ボールペンの使用状態を示す斜視図、図７は、不使用時におけるポケット等への挾着状態を示す縦断側面図である。
【００１３】
本発明の筆記具は、ボールペン、シャープペンシル、マーキングペン、万年筆等を総称するもので、実施形態では、ノック式ボールペンを例にとっている。なお、以下の説明において、ペン先側を前方、クック栓側を後方とする。
【００１４】
図１に示すように、本発明のノック式ボールペン(１)は、口先部(２)が前端部(3a)に装着された本体軸(３)と、その後端部(3b)付近に取り付けられたクリップ(４)とを有する。本体軸(３)は、図６に示すように、使用時に、前端部(3a)側を人差し指と親指とで摘んだ際に、その後端部(3b)側が、人差し指と親指との間の付け根に届くのに必要な最短の長さ、例えば約９ｃｍの長さを有する。クリップ(４)は、本体軸(３)の後端部(3b)から、本体軸(３)の前端部(3a)に設けた口先部(２)近傍に至る範囲まで達するような長さ、例えば約６．５ｃｍの長さを有する。
【００１５】
本体軸(３)には、図２に示すように、リフィールユニット(５)が内蔵されており、このリフィールユニット(５)は、リフィール(６)とリフィールホルダ(７)とから構成されている。リフィールユニット(５)は、本体軸(３)の後端部から外部に突出させたノック栓(８)の押込み操作により作動させられるノック機構をもって、ペン先(９)を、リターンスプリング(10)の付勢力に抗して、口先部(２)内から突出させるとともに、後記するクリップ(４)の解除操作により、ペン先(９)が、図３に示すように、リターンスプリング(10)の付勢力により、本体軸(３)の前端部に装着した口先部(２)内に格納されるように、出没可能に構成されている。なお、ノック機構は、ノック式筆記具において従来広く使用されている周知のノック機構、すなわち、特公昭３４−７１８１号公報により開示されたカール氏の発明によるノック機構と実質的に同一であるので、その説明は省略する。
【００１６】
クリップ(４)の後端部(4b)は、本体軸(３)の後端部(3b)に設けた支持プレート(11)に、クリップ(４)の開閉支点である支軸(12)をもって、図３に実線矢印で示す開閉方向に回動自在に枢支されているとともに、Ｓ字状をなす板ばね(13)により、その前端部(4a)が、図２に示すように、本体軸(３)の表面に弾圧接されるように、常に閉方向に付勢されている。
【００１７】
リフィールユニット(５)のリフィールホルダ(７)には、フック状の係止部(14)が設けられている。この係止部(14)は、図４に示すように、クリップ(４)の裏面(4c)が対面する本体軸(３)の表面に設けた窓孔(15)から外部に突出し、ペン先(９)の出没動作に一体的に連動して、本体軸(３)の軸方向に往復動可能になっている。
【００１８】
係止部(14)は、図２に示すように、ペン先(９)が突出状態にあるとき、図５に示すように、クリップ(４)の裏面(4c)に突出させた係止突起(16)の前面(16a)に、リターンスプリング(10)の付勢力に抗して係止し、使用時におけるペン先(９)の突出状態を維持する。また、図３に示すように、クリップ(４)の開方向への解除操作により、係止突起(16)との係止状態が解除され、リターンスプリング(10)の付勢力により、リフィールユニット(５)が後方に移動すると同時に、ペン先(９)が口先部(２)内の格納位置に移行し、不使用状態となる。
【００１９】
なお、係止突起(16)の下面(16b)は、後方に向けて立上り傾斜する傾斜面に形成されており、図３に示す不使用状態において、ノック栓(８)を押込み操作したとき、係止部(14)は、後方から前方に向けて係止突起(16)の下面(16b)に摺接しながら移動し、係止突起(16)、すなわち、クリップ(４)を、板ばね(13)の付勢力に抗して押上げ、前方への移動を可能にし、これにより、口先部(２)の前端開口からのペン先(９)の突出を許容している。
【００２０】
クリップ(４)の前端部(4a)の裏面と対面する本体軸(３)の表面には、図４に示すように、凹部(17)が設けられており、この凹部(17)には、図５に示すように、クリップ(４)の前端部(4a)の裏面に形成した突起(18)が係合され、クリップ(４)の前端部(4a)の横ぶれを防止している。そのため、クリップの後端部における開閉支点に負荷が掛からないので、その部位が破損するといった虞がない。しかも、ポケット等への挾着時、本体軸の凹部とクリップの突起とで布地が噛み込まれるので、挾着力を高め、外れ難くなる。
【００２１】
クリップ(４)の前端部(4a)の裏面(4d)が当接する本体軸(３)の表面には、クリップ(４)の前端部(4a)の裏面形状に整合する窪み部(19)が形成され、本体軸(３)の表面とクリップ(４)の前端部(4a)の外側表面とがほぼ面一となるようにしてある。これにより、デザイン的にすっきりさせることができ、意匠効果を高めることができるとともに、図７に想像線で示すように、服やワイシャツのポケット(Ｐ)等への挾着時、布地(Ｗ)がクリップ(４)の前端部(4a)の裏面(4d)と本体軸(３)の窪み部(19)との間で噛み込まれるので、挾着力を一層高めることができる。
【００２２】
クリップ(４)の裏面(4c)と対面する本体軸(３)の表面は、クリップ(４)の開閉支点である支軸(12)の近傍から、クリップ(４)の前端部(4a)に至る挾着範囲に亘って、ゴム等の弾性軟質材(20)により被覆されている。これにより、使用時のクリップ感を良好にするとともに、服やワイシャツのポケット(Ｐ)等への挾着時、布地(Ｗ)との摩擦力を高めている。
【図面の簡単な説明】
【００２３】
【図１】本発明のボールペンのペン先突出状態を示す全体斜視図である。
【図２】同じく縦断側面図である。
【図３】クリップを開状態にしたときのペン先格納時の縦断側面図である。
【図４】同じく、クリップを開状態にしたときの本体軸表面の要部拡大斜視図である。
【図５】同じく、クリップを開状態にしたときのクリップ裏面の要部拡大斜視図である。
【図６】ボールペンの使用状態を示す斜視図である。
【図７】不使用時におけるポケット等への挾着状態を示す縦断側面図である。
【符号の説明】
【００２４】
(１)ボールペン(筆記具)
(２)口先部
(３)本体軸
(3a)前端部
(3b)後端部
(４)クリップ
(4a)前端部
(4b)後端部
(4c)(4d)裏面
(５)リフィールユニット
(６)リフィール
(７)リフィールホルダ
(８)ノック栓
(９)ペン先
(10)リターンスプリング
(11)支持プレート
(12)支軸(開閉支点)
(13)板ばね
(14)係止部
(15)窓孔
(16)係止突起
(16a)前面
(16b)下面
(17)凹部
(18)突起
(19)窪み部
(20)弾性軟質材
(Ｐ)ポケット
(Ｗ)布地
【図１】
0004818805.tif 000002
【図２】
0004818805.tif 000003
【図３】
0004818805.tif 000004
【図４】
0004818805.tif 000005
【図５】
0004818805.tif 000006
【図６】
0004818805.tif 000007
【図７】
0004818805.tif 000008